(57)【特許請求の範囲】
【請求項１】
電柱に着脱自在に取り付けられるフレーム部と、
前記フレーム部が前記電柱に取り付けられた状態で、前記電柱から張り出すように配設され、ケーブルを支持するアーム部と、
を備え、
前記アーム部は、格子状に形成され、格子が水平面内または垂直面内に位置するように前記フレーム部に角度調整自在に支持される、
ことを特徴とするケーブル支持具。
【請求項２】
前記アーム部は、導電体で構成されており、前記アーム部によって支持された前記ケーブルを接地する、
ことを特徴とする請求項１に記載のケーブル支持具。
【発明の詳細な説明】
【技術分野】
【０００１】
この発明は、電柱に配設されたケーブルをバイパスする際に、電柱の片側から作業可能なケーブル支持具に関する。
【背景技術】
【０００２】
配電線（ケーブル）を工事のためにバイパスする際には、間接活線作業ができるようにするために、図８ないし図１０に示すようなケーブル支持具１００を電柱Ｐに取り付けてケーブルを支持する。ケーブル支持具１００は、主として、フレーム部１１０と、アーム部１２０とを備えている。アーム部１２０は、ケーブルを仮支持するものである。アーム部１２０は、フレーム部１１０を介して電柱Ｐに固定されており、同一水平面上で格子状となるように主材１２１と各枠材１２２〜１２８が配設されている。主材１２１は、フレーム部１１０のホルダー部１１４に固定されており、平面部１１１に対して略垂直に配設されている。アーム部１２０は、フレーム部１１０から張り出すように電柱Ｐに取り付けられ、格子状の面が水平になるように設けられている。
【０００３】
ところで、腕金を長くすることなく３本以上のケーブルを共架したり共架金物を新たに取り付けることなく追加のケーブルを共架したりすることができる共架金物およびケーブル共架方法に関する技術が知られている。（例えば、特許文献１参照。）。この技術は、棒状の腕金と、腕金に最小間隔以上の間隔を空けて取り付けられ、２本の通信ケーブルを腕金の下方に同じ高さで吊架するための２個のケーブル吊架金物と、腕金の２個のケーブル吊架金物の間に取り付けられ、他の通信ケーブルを２本の通信ケーブルよりも下方に２本の通信ケーブルと最小間隔以上の間隔を空けて吊架するためケーブル吊架金物とを備えるものである。
【先行技術文献】
【特許文献】
【０００４】
【特許文献１】特開２０１１−２３４４７５号公報
【発明の概要】
【発明が解決しようとする課題】
【０００５】
しかしながら、特許文献１に記載の技術は、間接活線作業に適したものではない。また、３本以上のケーブルを共架したり、ケーブルを追加したりする際に使用するものであり、ケーブルをバイパスする際に使用するものではない。
【０００６】
そこでこの発明は、電柱に配設されたケーブルをバイパスする際に、電柱の片側から作業可能なケーブル支持具を提供することを目的とする。
【課題を解決するための手段】
【０００７】
上記課題を解決するために、請求項１の発明は、電柱に着脱自在に取り付けられるフレーム部と、前記フレーム部が前記電柱に取り付けられた状態で、前記電柱から張り出すように配設され、ケーブルを支持するアーム部と、を備え、前記アーム部は、格子状に形成され、格子が水平面内または垂直面内に位置するように前記フレーム部に角度調整自在に支持される、ことを特徴とするケーブル支持具である。
【０００８】
この発明によれば、アーム部は、フレーム部に角度調整自在に支持されるので、アームが所望の角度となるように配設される。
【００１０】
請求項２の発明は、前記アーム部は、導電体で構成されており、前記アーム部によって支持された前記ケーブルを接地する、ことを特徴とする。
【発明の効果】
【００１１】
請求項１の発明によれば、アーム部は、格子状に形成され、格子が水平面内または垂直面内に位置するようにフレーム部に角度調整自在に支持されるので、アーム部を電柱に対して所望の角度に配設することができる。このため、電柱に配設されたケーブルをバイパスする際に、電柱の片側から作業可能となるように、アーム部を所望の角度で電柱に配設することができる。これにより、例えば、高所作業車を使用する場合に、電柱を挟んでバケットを移動する必要がなくなり、容易に作業することができる。また、アーム部は格子状に形成されているので、バイパスするケーブルを容易に固定できる。
【００１３】
請求項２の発明によれば、アーム部によって支持されたケーブルを接地することができるので、別途、接地棒に接続する必要がない。このため、作業に要する手間と時間とを削減できる。
【図面の簡単な説明】
【００１４】
【図１】この発明の実施の形態に係るケーブル支持具を、アーム部が水平に張り出すように配設した状態を示す平面図である。
【図２】図１のケーブル支持具を示す側面図である。
【図３】図１のケーブル支持具のフレーム部を示す正面図である。
【図４】図１のケーブル支持具を電柱に取り付けた状態における高所作業車のバケットの位置関係を示す斜視図である。
【図５】図１のケーブル支持具を、アーム部が垂直に張り出すように配設した状態を示す平面図である。
【図６】図５のケーブル支持具を示す側面図である。
【図７】図５のケーブル支持具を電柱に取り付けた状態における高所作業車のバケットの位置関係を示す斜視図である。
【図８】従来のケーブル支持具を、アーム部が水平に張り出すように配設した状態を示す平面図である。
【図９】図８のケーブル支持具を示す側面図である。
【図１０】図８のケーブル支持具のフレーム部を示す正面図である。
【発明を実施するための形態】
【００１５】
以下、この発明を図示の実施の形態に基づいて説明する。
【００１６】
図１ないし図７は、この発明の実施の形態を示している。
【００１７】
図１は、この発明の実施の形態に係るケーブル支持具１を、アーム部２０が水平に張り出すように電柱Ｐに配設した状態を示す平面図である。ケーブル支持具１は、電柱Ｐに架線されているケーブルＥを工事などのためにバイパスする際に、バイパスしたケーブルＥを仮支持するものである。ケーブル支持具１は、主として、フレーム部１０と、アーム部２０とを有している。
【００１８】
フレーム部１０は、電柱Ｐに着脱自在なものであり、主として、平面部１１と、バンド部１２と、留金具１３と、ホルダー部１４とを有している。
【００１９】
平面部１１は、図１に示すように、導電性を有する板状材を断面形状が略コの字型となるように加工したものであり、電柱Ｐの外周面に沿って配設される。平面部１１の幅ｗは、電柱Ｐの直径よりも小に設定されており、具体的には幅ｗは１０数ｃｍ、長さｌは数１０ｃｍとなっている。
【００２０】
バンド部１２は、可橈性を有するバンド状の材料で構成されており、電柱Ｐの外周に巻き付いてフレーム部１０を固定するものである。バンド部１２は、平面部１１の一側面部側に基端部側が固定されており、自由端側には留金具１３に係止可能なフック状の係止金具１２ａが配設されている。また、バンド部１２の基端部側にはロック具１２ｂが配設されており、図１の矢印方向に摺動させるとバンド部１２が緩み、図１に示すように平面部１１側に傾倒させるとバンド部１２に張力が作用して、締め付けるようになっている。具体的には、ロック具１２ｂを自由端側に傾倒させてバンド部１２を緩めた状態で、電柱Ｐの外周に巻き付けて、係止金具１２ａを留金具１３に係止した状態で、図１に示すように、ロック具１２ｂを平面部１１側に傾倒させてバンド部１２を締め付けて、フレーム部１０を電柱Ｐに固定する。
【００２１】
留金具１３は、平面部１１の他側面部側に配設されており、バンド部１２の係止金具１２ａが着脱自在に係止可能である。すなわち、留金具１３は、電柱Ｐの外周を略ひと巻きしたバンド部１２の係止金具１２ａを係止して、フレーム部１０を固定する。
【００２２】
ホルダー部１４は、平面部１１の略中央下側に配設されており、アーム部２０の主材２１を挿入可能な形状、大きさの円筒状に形成されている。このため、ホルダー部１４に対して、主材２１を所望の向きで挿入することができる。このホルダー部１４には、ボルト１５が配設されており、開口部に挿入した主材２１をボルト１５によって締結し、固定する。
【００２３】
アーム部２０は、同一平面上にフレーム部１０を挟んで異なる方向に延設され、ケーブルＥを支持するものであり、主として、主材２１と、枠材２２〜２８を有している。主材２１は、数１０ｃｍ〜約１ｍの丸棒材である。枠材２２〜２８は、図１に示すように、主材２１を中心とした格子状に組まれており、主材２１に固定されている。具体的には、枠材２２、２３を平行に配設し、その両端部と直交するように枠材２４、２５を配設して長方形を形成する。そして、長方形の空間部を枠材２６、２７、２８によって複数に分割する。すなわち、主材２１を挟んで両側に格子が形成される。
【００２４】
図４に示す腕金Ａを挟んだ両側にて作業をする必要がある場合、図１、図２、図４に示すように、アーム部２０の格子が水平になるように、フレーム部１０から張り出すように固定した場合は、アーム部２０は腕金Ａを挟んで両側に張り出すため、ケーブルＥのバイパス作業時には、腕金Ａを挟んだ両側で作業する必要がある。このため、高所作業のバケットＢを、腕金Ａの両側に、図４に示す矢印の方向に移動させなくてはならない場合がある。
【００２５】
これに対して、図７に示す腕金Ａの片側にて作業をすればよい場合、図５、図６、図７に示すように、アーム部２０の格子が垂直になるように、フレーム部１０から張り出すように固定した場合は、腕金Ａの片側で作業ができる。このため、高所作業のバケットＢを、腕金Ａの両側に移動させる必要がない。
【００２６】
このように、バイパスするケーブルＥや電柱Ｐ、柱上装置の位置関係によって、アーム部２０の格子が、作業の容易な所望の位置となるように、主材２１の基端部側をホルダー部１４に挿入してボルト１５で固定する。
【００２７】
次に、このような構成のケーブル支持具１の使用方法および作用について説明する。作業場所で、バイパスするケーブルＥや電柱Ｐ、柱上装置の位置関係によって、アーム部２０の格子をどのように取り付けるかが判断される。
【００２８】
アーム部２０の格子が水平面内に位置するように配設する場合について説明する。
【００２９】
まず、フレーム部１０が電柱Ｐに取り付けられる。具体的には、平面部１１が所望の高さ、向きとなるように電柱Ｐの外周面に沿わされる。そして、バンド部１２が電柱Ｐの外周にひと巻きされて、係止金具１２ａが留金具１３に係止された状態で、図１に示すように、ロック具１２ｂが平面部１１側に傾倒されてバンド部１２が締め付けられて、フレーム部１０が電柱Ｐに固定される。
【００３０】
図１、図２、図４に示すように、アーム部２０の格子が水平面内に位置するように、主材２１の基端部側がホルダー部１４に挿入されて、ボルト１５で固定されることにより、アーム部２０がフレーム部１０に固定される。このとき、アーム部２０は電柱Ｐを挟んで両側に張り出しているので、ケーブルＥのバイパス作業時には、電柱Ｐを挟んだ両側で作業する必要がある。このため、図４に示すように、高所作業のバケットＢが、電柱Ｐの両側に移動させなくてはならない場合がある。
【００３１】
作業が終了し、バイパスしたケーブルＥが撤去されると、アーム部２０を固定していたボルト１５が緩められて、アーム部２０の主材２１の基端部側がホルダー部１４から引き抜かれて、アーム部２０がフレーム部１０から取り外される。
【００３２】
そして、フレーム部１０のロック具１２ｂが図１に示す矢印側に傾倒されてバンド部１２が緩められて、係止金具１２ａが留金具１３から取り外されてバンド部１２が電柱Ｐの外周から取り外され、フレーム部１０が電柱Ｐから取り外される。
【００３３】
つぎに、アーム部２０の格子が垂直面内に位置するように配設する場合について説明する。
【００３４】
まず、同様に、フレーム部１０が電柱Ｐに取り付けられる。
【００３５】
図５、図６、図７に示すように、アーム部２０の格子が垂直面内に位置するように、主材２１の基端部側がホルダー部１４に挿入されて、ボルト１５で固定されることにより、アーム部２０がフレーム部１０に固定される。このとき、アーム部２０は電柱Ｐの軸方向に沿って垂直面内に配設されるので、ケーブルＥのバイパス作業時には、図７に示すように、電柱Ｐの片側で作業ができる。このため、高所作業のバケットＢを、電柱Ｐの両側に移動させる必要がない。
【００３６】
作業が終了し、バイパスしたケーブルＥが撤去されると、アーム部２０を固定していたボルト１５が緩められて、アーム部２０の主材２１の基端部側がホルダー部１４から引き抜かれて、アーム部２０がフレーム部１０から取り外される。
【００３７】
そして、フレーム部１０のロック具１２ｂが図１に示す矢印側に傾倒されてバンド部１２が緩められて、係止金具１２ａが留金具１３から取り外されてバンド部１２が電柱Ｐの外周から取り外され、フレーム部１０が電柱Ｐから取り外される。
【００３８】
以上のように、ケーブル支持具１によれば、アーム部２０は、フレーム部１０に角度調整自在に支持されるので、アーム部２０を所望の角度に配設することができる。このため、電柱Ｐに配設されたケーブルＥをバイパスする際に、電柱Ｐの片側から作業可能となるように、アーム部２０を配設することができる。
【００３９】
このように、アーム部２０を設置する向きを現場で判断して取り付けることができるので、ひとつのケーブル支持具１で対応することができる。
【００４０】
また、アーム部２０は格子状に形成されているので、バイパスするケーブルＥを枠材２２〜２８のいずれかで容易に固定できる。
【００４１】
さらに、アーム部２０によって支持されたケーブルＥを接地するので、別途、接地棒に接続する必要がない。このため、作業に要する手間と時間とを削減できる。
【００４２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、ボルト１５によって固定するものとして説明したが、他の方法であってもよいことはもちろんである。
【００４３】
また、電柱Ｐに配設されたケーブルＥをバイパスする際に、電柱Ｐの片側から作業可能となるように、アーム部２０の格子は、水平面内や垂直面内に位置するように配設されることに限定されず、所望の角度で配設してもよい。
【００４４】
さらに、アーム部２０の形状は、格子状として説明したが、ケーブルＥを支持可能であれば他の形状でもよく、例えば、主材２１を中心とした枝状であってもよい。
【符号の説明】
【００４５】
１        ケーブル支持具
１０      フレーム部
１１      平面部
１２      バンド部
１３      留金具
１４      ホルダー部
１５      ボルト
２０      アーム部
２１      主材
２２      枠材
２３      枠材
２４      枠材
２５      枠材
２６      枠材
２７      枠材
２８      枠材
Ｐ        電柱
Ａ        腕金
Ｅ        ケーブル
Ｂ        バケット
【図１】
0006001002.tif 000002
【図２】
0006001002.tif 000003
【図３】
0006001002.tif 000004
【図４】
0006001002.tif 000005
【図５】
0006001002.tif 000006
【図６】
0006001002.tif 000007
【図７】
0006001002.tif 000008
【図８】
0006001002.tif 000009
【図９】
0006001002.tif 000010
【図１０】
0006001002.tif 000011